(57)【要約】      （修正有）【課題】スマートフォン一体型蒸気チャンバを提供する。【解決手段】本発明は、スマートフォンフレーム１０に蒸気チャンバを厚さの変化なしに一体型に製作する方法であって、スマートフォンフレームに装着部１２を形成して蒸気チャンバ２０を対応装着し、相互間に容易な締結のために相互間の枠に段付１３を形成し、段付に溝と突起をさらに形成して締結力を増大させる。【選択図】図４
2020174337.tif 000002
【特許請求の範囲】
【請求項１】
ベース（１１）に、上下に貫通した装着部（１２）を穿孔形成し、前記装着部（１２）の一面の枠に第１段付（１３）を形成するスマートフォンフレーム（１０）と、
上部プレート（２１）及び下部プレート（２２）が接着されて内部に作動流体の収容空間（２４）を形成し、前記スマートフォンフレーム（１０）の装着部（１２）に対応装着されるが、ベース（１１）の上、下面から突出されることなく同一水平線上をなすように一面の枠に前記第１段付（１３）に対応する第２段付（２３）が形成されるスマートフォン一体型蒸気チャンバ（２０）と、
を含んでなることを特徴とする、スマートフォン一体型蒸気チャンバ。
【請求項２】
一面に第１収容部（１５）が陥没形成される上板（１４）と、前記第１収容部（１５）に対応する第２収容部（１７）が陥没形成される下板（１６）からなるスマートフォンフレーム（１０）と、
前記上板（１４）及び下板（１６）が相互間に事前設定の接着手段を介して結合され、前記上板（１４）及び下板（１６）の間に第１収容部（１５）及び第２収容部（１７）により作動流体の収容空間（２４）を形成し、前記スマートフォンフレーム（１０）と一体をなすスマートフォン一体型蒸気チャンバ（２０）と、
を含んでなることを特徴とする、スマートフォン一体型蒸気チャンバ。
【請求項３】
内部に第１収容部（１５）を形成し、前記第１収容部（１５）の上端枠に第１段付（１３）を形成するスマートフォンフレーム（１０）と、
前記第１段付（１３）に対応して相互間に事前設定の接着手段を介して結合されるが、底面には前記第１収容部（１５）に対応する第２収容部（１７）が形成され、第１収容部（１５）及び第２収容部（１７）により作動流体の収容空間（２４）が形成され、前記スマートフォンフレーム（１０）と一体をなすスマートフォン一体型蒸気チャンバ（２０）を含むカバー部（３０）と、
を含んでなることを特徴とする、スマートフォン一体型蒸気チャンバ。
【請求項４】
前記第１段付（１３）と第２段付（２３）には、
第１段付（１３）及び第２段付（２３）が相互間に対応して締結される突起（３１）または溝（３２）がそれぞれ形成され、相互間の締結力を増大させることを特徴とする、請求項１に記載のスマートフォン一体型蒸気チャンバ。
【請求項５】
前記スマートフォン一体型蒸気チャンバ（２０）は、
前記収容空間（２４）内には作動流体の移動をガイドする作動メッシュ（２５）が安着されるか、またはウィック溝（２７）が形成され、
前記収容空間（２４）の枠周辺には硬ろう付けの接着層が挟まれた後、真空炉内ろう付けで事前設定温度に硬ろう付け工程が行われて組立られ、
前記硬ろう付け工程の後に、内部に作動流体が注入されて真空処理された後、
前記作動流体の流入口（２６）が作動流体の注入管の使用なしに直接溶接処理されることを特徴とする、請求項１ないし請求項３のいずれか１項に記載のスマートフォン一体型蒸気チャンバ。
【発明の詳細な説明】
【技術分野】
【０００１】
本発明は、スマートフォンのフレームに厚さの変化なしに装着されて一体をなすスマートフォン一体型蒸気チャンバに関する。
【背景技術】
【０００２】
スマートフォンの基本構造を説明すると、現在のスマートフォンの構造は、内部にステンレスまたはマグネシウムまたはアルミニウムからなったフレーム構造に、フレーム前方にディスプレイが装着され、後方に駆動回路物とバッテリが装着された構造を有する。
【０００３】
このようなスマートフォンはＣＰＵ処理速度が早く多様な作業を行うので、ＣＰＵの作業量が多くＣＰＵの発熱も大きい。さらにスマートフォンが薄い構造であるためスマートフォンには効果的な冷却手段を設けることが困難であった。
【０００４】
したがって、スマートフォンから熱が大きく発生するが、スマートフォンから発生する過度な熱は使用者に不快感や不安感を誘発させる。すなわち、スマートフォンはバッテリの不良などによる爆発事故が報道されているため、スマートフォンがさらに熱くなると使用者は大きな不安感を抱えることになる。そのほかにもスマートフォンから発生する熱はスマートフォン内の半導体を破損したり作動不良を起こすので迅速に熱を放熱及び冷却させることが最も重要である。
【０００５】
そこで、従来はスマートフォンの内部ＣＰＵ及びバッテリから発生する熱をヒートパイプ構造の放熱装置で冷却していたが、このような従来の蒸気チャンバは厚さが厚くなる短所と共に冷却効率が良くないという問題があった。
【０００６】
より詳しく説明すると、銅材質からなる蒸気チャンバを採用すると内部厚さが０．５ｍｍ程度厚くなり、また銅材質が軟質であるため弱い衝撃や接触でも簡単に破損され、さらにスマートフォンの内部フレームに両面接着を行うので、熱抵抗が発生して放熱に悪い影響を与えるという問題があった。
【０００７】
そこで、このような問題を解決することのできる、スマートフォンに使用可能な蒸気チャンバの製造開発が必要となった。
【先行技術文献】
【特許文献】
【０００８】
【特許文献１】大韓民国登録特許公報10-1197251号明細書（2012.10.29.登録）
【発明の概要】
【発明が解決しようとする課題】
【０００９】
本発明は、上記のような問題を解決するために案出されたものであって、本発明の目的は、スマートフォンフレームに溝と端を形成し、このような溝に対応装着されてもフレームの厚さに変化を与えない蒸気チャンバを構成したもので、相互間に容易な対応装着のためにスマートフォンフレームの端と蒸気チャンバの枠の端のそれぞれに突起または溝を形成して結合力を増大させるようにして、このような装着は、スマートフォンフレームに溝を形成して蒸気チャンバとして対応装着される場合、またはスマートフォンのフレーム自体に蒸気チャンバが形成される場合でも使用可能で、多様な使用を可能としたスマートフォン一体型蒸気チャンバに関する。
【００１０】
本発明のその他の目的及び利点は以下に説明されており、本発明の実施形態によってより深く理解することができる。また、本発明の目的及び利点は特許請求の範囲に示す手段及び組み合わせで実現することができる。
【課題を解決するための手段】
【００１１】
本発明は、上記のような問題を解決するための手段であって、
ベース１１に、上、下に貫通した装着部１２を穿孔形成し、前記装着部１２の一面の枠に第１段付１３を形成するスマートフォンフレーム１０と、上、下部プレート２１、２２が接着されて内部に作動流体の収容空間２４を形成し、前記スマートフォンフレーム１０の装着部１２に対応装着されるが、ベース１１の上、下面から突出されることなく同一水平線上をなすように一面の枠に前記第１段付１３に対応する第２段付２３が形成されるスマートフォン一体型蒸気チャンバ２０と、を含んでなることを特徴とする。
【発明の効果】
【００１２】
前述のように、本発明は、スマートフォンフレームに蒸気チャンバがフレームの厚さの変化なしに一体型に装着される効果がある。また、本発明はスマートフォンと蒸気チャンバとの相互間の枠に段付を形成し、厚さの変化なしにスマートフォンと蒸気チャンバ相互間に容易な結合を可能とする効果がある。また、本発明はスマートフォンと蒸気チャンバ相互間に容易な結合のために形成される各枠の段付に、相互間に対応締結される溝と突起を形成し、結合力をさらに増大させる効果がある。また、本発明は、蒸気チャンバがスマートフォンフレームに挿入装着されるか、またはスマートフォンフレーム自体に蒸気チャンバが形成された場合にも適用可能な効果がある。また、本発明は構造が簡単であるために製造及び使用が容易である効果がある。
【図面の簡単な説明】
【００１３】
【図１】本発明によるスマートフォンフレームを示す第１実施例の図である。
【図２】図１の底面を示す図である。
【図３】本発明によるスマートフォン一体型蒸気チャンバを示す第１実施例の図である。
【図４】本発明によるスマートフォンフレームにスマートフォン一体型蒸気チャンバの結合構造を示す第１実施例の図である。
【図５】本発明によるスマートフォンフレームの第１段付及び溝と突起を示す第１実施例の図である。
【図６】本発明によるスマートフォン一体型蒸気チャンバの第２段付及び溝と突起を示す第１実施例の図である。
【図７】本発明による第２実施例のスマートフォンフレーム及びスマートフォン一体型蒸気チャンバを示す図である。
【図８】本発明による第３実施例のスマートフォンフレーム及びスマートフォン一体型蒸気チャンバを示す図である。
【図９】本発明による３つの実施例を示す一実施形態の図である。
【発明を実施するための形態】
【００１４】
本発明の多様な実施形態を詳しく説明する前に、次の詳細な説明に記載や図に示す構成要素の構成及び配列の詳細によりその応用が制限されないことを理解することができる。本発明は、他の実施形態として実現されて実施することができ、多様な方法で実施することができる。また、装置または要素方向（例えば、「前（ｆｒｏｎｔ）」、「後（ｂａｃｋ）」、「上（ｕｐ）」、「下（ｄｏｗｎ）」、「高（ｔｏｐ）」、「底（ｂｏｔｔｏｍ）」、「左（ｌｅｆｔ）」、「右（ｒｉｇｈｔ）」、「横（ｌａｔｅｒａｌ」）などのような用語に関して、本願に用いる表現及び述語は単に本発明の説明を単純化するために用いられており、係わる装置または要素が単純に特定方向を有することを示したり意味するものではないことを理解すべきであろう。また、「第１（ｆｉｒｓｔ）」、「第２（ｓｅｃｏｎｄ）」のような用語は、説明のために本願及び添付の請求項に用いられ、相対的な重要性または趣旨を示したり意味することを意図しない。
【００１５】
本発明は、上記の目的を達成するために以下の特徴を有する。
【００１６】
以下に添付の図面を参照して本発明の好ましい実施形態を詳しく説明する。その前に、本明細書及び請求の範囲に用いられる用語や単語を通常的や辞典的な意味に限定して解釈してはいけなく、発明者は自らの発明をより最善の方法で説明するために用語の概念を適切に定義し得るという原則に即して本発明の技術的思想に符合する意味と概念として解釈すべきである。
【００１７】
したがって、本明細書に記載の実施形態と図示の構成は、本発明の最も好ましい一実施形態に過ぎなく、本発明の技術的思想を全て代弁するものでないため、本出願の時点でこれらを代替することができる多様な均等物と変形例があり得ると理解すべきである。
【００１８】
本発明による第１実施例を参照すると、ベース１１に、上、下に貫通した装着部１２を穿孔形成し、前記装着部１２の一面の枠に第１段付１３を形成するスマートフォンフレーム１０と、上、下部プレート２１、２２が接着されて内部に作動流体の収容空間２４を形成し、前記スマートフォンフレーム１０の装着部１２に対応装着されるが、ベース１１の上、下面から突出されることなく同一水平線上をなすように一面の枠に前記第１段付１３に対応する第２段付２３が形成されるスマートフォン一体型蒸気チャンバ２０と、を含んでなることを特徴とする。また、一面に第１収容部１５が陥没形成される上板１４と、前記第１収容部１５に対応する第２収容部１７が陥没形成される下板１６とからなるスマートフォンフレーム１０と、前記上、下板１４、１６が相互間に事前設定の接着手段を介して結合され、前記上、下板１４、１６との間に第１、２収容部１５、１７により作動流体の収容空間２４を形成し、前記スマートフォンフレーム１０と一体をなすスマートフォン一体型蒸気チャンバ２０と、を含んでなることを特徴とする。また、内部に第１収容部１５を形成し、前記第１収容部１５の上端枠に第１段付１３を形成するスマートフォンフレーム１０と、前記第１段付１３に対応して相互間に事前設定の接着手段を介して結合されるが、底面には前記第１収容部１５に対応する第２収容部１７が形成され、第１、２収容部１５、１７により作動流体の収容空間２４が形成され、前記スマートフォンフレーム１０と一体をなすスマートフォン一体型蒸気チャンバ２０と、を含んでなることを特徴とする。また、前記第１段付１３と第２段付２３には、第１、２段付１３、２３が相互間に対応して締結される突起３１または溝３２がそれぞれ形成され、相互間の締結力を増大させることを特徴とする。
【００１９】
また、前記スマートフォン一体型蒸気チャンバ２０は、前記収容空間２４内には作動流体の移動をガイドする作動メッシュ２５が安着されるか、またはウィック溝２７が形成され、前記収容空間２４の枠周辺には硬ろう付けの接着層２８が挟まれた後、真空炉内ろう付けで事前設定温度に硬ろう付け工程が行われて組立られ、前記硬ろう付け工程の後、内部に作動流体が注入されて真空処理された後、前記作動流体の流入口２６が溶接処理されることを特徴とする。
【００２０】
以下、図１ないし図９を参照して本発明の好ましい実施形態によるスマートフォン一体型蒸気チャンバを詳しく説明する。
【００２１】
本発明のスマートフォン一体型蒸気チャンバは、スマートフォンフレーム１０、スマートフォン一体型蒸気チャンバ２０を含む。
【００２２】
第１実施例は、図１ないし図６及び図９に示すように、スマートフォンフレーム１０に別途のスマートフォン一体型蒸気チャンバ２０が装着されている場合である。
【００２３】
前記スマートフォンフレーム１０は、スマートフォンフレーム１０のベース１１に使用者が事前設定した位置に、上、下に貫通した装着部１２を穿孔形成し、このような前記装着部１２の一面枠（後述のスマートフォン一体型蒸気チャンバ２０が対応装着される面）に第１段付１３が陥没形成される。
【００２４】
前記スマートフォン一体型蒸気チャンバ２０は、上、下部プレート２１、２２（上部プレート２１（Ｖａｐｏｒ  ｐｌａｔｅ材質：ＳＵＳ）、下部プレート２２（Ｗｉｃｋ  ｐｌａｔｅ材質：ＳＵＳ））が上、下に接着されて一体をなすもので、前述のスマートフォンフレーム１０の装着部１２に事前設定の接着手段（両面テープ接着、半田付け、硬ろう付け、ポンディングの接着方法から選択されるいずれか１つ、または２つが相互間同時に用いられて結合）に対応装着されるものであるが、前記スマートフォンフレーム１０に装着される際にベース１１の厚さが上面または下面にさらに突出されてスマートフォンフレーム１０が厚くならないように、前記スマートフォンフレーム１０のベース１１面と同一水平線上をなして結合される。
【００２５】
そのために、スマートフォン一体型蒸気チャンバ２０は、前述の装着部１２に対応するスマートフォン一体型蒸気チャンバ２０の一面の枠に、前記第１段付１３に対応する第２段付２３が形成されるようにして相互間に結合されるものであって、このようなスマートフォン一体型蒸気チャンバ２０には、内部に作動流体の収容空間２４が形成され、内部の作動流体が蒸気チャンバ外部の発熱部（スマートフォンフレーム１０内の各種発熱部（スマートフォンにおいてメインコントロールボードまたはバッテリなどのスマートフォン一体型蒸気チャンバ２０の一面の一側に密着されて熱を発生する位置））により内部一側で加熱されて蒸気となって上昇し、長手方向に移動しながら凝縮して落下された後、発熱部の空間側に向って移動する循環を繰返する。
【００２６】
また、このような第１、２段付１３、２３には、第１、２段付１３、２３が相互間に対応して締結される突起３１または溝３２がそれぞれ形成されて相互間の締結力が増大されるようにしているが、第１段付１３に複数の突起３１が相互間に離隔されて突出形成されている場合、第２段付２３にはこのような突起３１が挟まれる溝３２が相互間に離隔されて前記突起３１に対応して穿孔形成される。
【００２７】
勿論、第１段付１３に溝３２が形成される場合は第２段付２３に突起３１が形成され、第１段付１３に突起３１が形成される場合は第２段付２３には溝３２が形成されており、使用者の実施形態によっては第１段付１３と第２段付２３に溝３２と突起３１が交番に切り替えるように形成され得る（これは、後述の第３の場合にも同様に適用され得る。）。
【００２８】
さらに、前記スマートフォン一体型蒸気チャンバ２０は、前記収容空間２４内には作動流体の移動をガイドする作動メッシュ２５（Ｍｅｓｈ（材質：銅またはＳＵＳ））が安着され（または、作動メッシュ２５と一緒に用いられるか作動メッシュ２５なしに、スマートフォン一体型蒸気チャンバ２０の内部一面（または上、下面）に一方向に向って多様な形状のウィック（ｗｉｃｋ）溝が連続形成）、前記収容空間２４の枠周辺には硬ろう付けの接着層２８が挟まれた後、真空炉内ろう付けで事前設定温度に硬ろう付け工程が行われて組立られ、前記硬ろう付け工程の後に、内部に作動流体が注入されて真空処理された後、前記作動流体の流入口２６が作動流体を注入するための別途の注入管なしに直接溶接処理して製作される。
【００２９】
第２、３実施例は、スマートフォンフレーム１０を形成する際に、このようなスマートフォンフレーム１０の内部にスマートフォン一体型蒸気チャンバ２０が形成される実施形態である。
【００３０】
すなわち、第２実施例の場合は、図７及び図９に示すように、スマートフォンフレーム１０は、上板１４と下板１６に構成されて一体をなしているが、一面に第１収容部１５が陥没形成される上板１４と、前記第１収容部１５に対応する第２収容部１７が陥没形成される下板１６が、相互間に事前設定の接着手段を介して結合してなすものであり、第３実施例の場合は、図８及び図９に示すように、内部に第１収容部１５を形成し、前記第１収容部１５の上端枠に第１段付１３を形成するスマートフォンフレーム１０と、前記第１段付１３に対応して相互間に事前設定の接着手段を介して結合されるが、底面には前記第１収容部１５に対応する第２収容部１７が形成され、第１、２収容部１５、１７により作動流体の収容空間２４が形成されて、前記スマートフォンフレーム１０と一体をなすスマートフォン一体型蒸気チャンバ２０を含むカバー部３０からなるものである。
【００３１】
前記スマートフォン一体型蒸気チャンバ２０は、カバー部３０がスマートフォンフレーム１０上部を覆うことで、第１、２収容部１５、１７により作動流体の収容空間２４を形成する部分であって、前記スマートフォンフレーム１０内部にスマートフォン一体型蒸気チャンバ２０が形成される。
【００３２】
勿論、第２、３実施例の場合にも前記スマートフォンフレーム１０の上、下板１４、１６の接着手段は、前述の第１実施例でスマートフォンフレーム１０とスマートフォン一体型蒸気チャンバ２０とが結合される接着手段の場合と同様に適用され、スマートフォン一体型蒸気チャンバ２０内の作動メッシュ２５の装着及び作動流体の注入及び真空処理過程も同様に適用される。
【００３３】
以上のように、本発明は、たとえ限定した実施形態と図で説明したが、本発明はこれに限定されなく、本発明が属する技術分野において通常の知識を有する者によって本発明の技術思想と以下に記載する特許請求の範囲の均等範囲内において多様に修正及び変更し得るのは勿論である。
【図１】
2020174337.tif 000003
【図２】
2020174337.tif 000004
【図３】
2020174337.tif 000005
【図４】
2020174337.tif 000006
【図５】
2020174337.tif 000007
【図６】
2020174337.tif 000008
【図７】
2020174337.tif 000009
【図８】
2020174337.tif 000010
【図９】
2020174337.tif 000011